(57)【要約】【課題】変流器試験などを試験する金属閉鎖型スイッチギヤ用試験治具を提供する。【解決手段】スイッチギヤ１は、本体１０と引出形遮断器を引出自在に配置可能な格納室１１を備える。本体１０は、母線３１１を接続する断路器３が結線される第１接続端子４１１と、出力ケーブル５２１を接続する変流器５１が直結される第２接続端子４２１と、第１接続端子４１１及び第２接続端子４２１の前方を開閉する一対のシャッタ４３・４４と、を有する。試験治具６は、引出形遮断器に代えて格納室１１に収容される。試験治具６は、複数の車輪６１ａを設ける台部６１と、台部６１に立設するパネル板６２及び絶縁板６５で構成される。試験治具６は、第１接続端子４１１に接続する第１アダプタ板６ａと、第２接続端子４２１に接続する第２アダプタ板６ｂと、を有する。第１アダプタ板６ａ及び第２アダプタ板６ｂは、絶縁板６５への上下方向に取り付け位置を変更できる。【選択図】図１
2011142746.tif 000002
【特許請求の範囲】
【請求項１】
金属製のフレームで閉鎖された箱状の本体と、
この本体の内部が区画されて引出形遮断器を引出自在に配置可能な格納室と、を備え、
前記本体は、
母線を接続する断路器が結線され、前記格納室に設けた隔壁の上段に連設された複数の第１接続端子と、
出力ケーブルを接続する変流器が直結され、前記格納室に設けた隔壁の下段に連設された複数の第２接続端子と、
前記第１接続端子及び前記第２接続端子の前方を開閉するシャッタと、を有する金属閉鎖型スイッチギヤにおいて、
前記引出形遮断器に代えて、前記格納室に引出自在に配置されると共に、前記格納室に収容されたときは前記シャッタを開き、前記格納室から引き出されたときは前記シャッタが閉じる、移動自在な台車構造の金属閉鎖型スイッチギヤ用試験治具であって、
前記格納室の底面に転動する複数の車輪を設ける台部と、
この台部の前面に立設するパネル板と、
前記パネル板の上段に固定された複数の第１試験端子と、
前記パネル板の下段に固定された複数の第２試験端子と、
前記パネル板と略平行に前記台部の中間部に立設する絶縁板と、
前記絶縁板の上段に取り付けられ、一端部が前記第１接続端子に接続し、他端部が前記第１試験端子に結線された複数の棒状の上部端子を連設する第１アダプタ板と、
前記絶縁板の下段に取り付けられ、一端部が前記第２接続端子に接続し、他端部が前記第２試験端子に結線された複数の棒状の下部端子を連設する第２アダプタ板と、を備え、
前記第１アダプタ板及び前記第２アダプタ板は、それらの前記絶縁板への上下方向の取り付け位置が変更可能に構成されている金属閉鎖型スイッチギヤ用試験治具。
【請求項２】
複数の前記上部端子は、それらの前記第１アダプタ板への水平方向の取り付け位置が変更可能に構成され、
複数の前記下部端子は、それらの前記第２アダプタ板への水平方向の取り付け位置が変更可能に構成されている請求項１記載の金属閉鎖型スイッチギヤ用試験治具。
【請求項３】
金属製のフレームで閉鎖された箱状の本体と、
この本体の内部が区画されて引出形遮断器を引出自在に配置可能な格納室と、を備え、
前記本体は、
母線が結線されて前記格納室に設けた隔壁の下段に連設された複数の第３接続端子と、
出力ケーブルを接続する変流器が直結され、前記格納室に設けた隔壁の上段に連設された複数の第４接続端子と、
前記第３接続端子及び前記第４接続端子の前方を開閉するシャッタと、を有する金属閉鎖型スイッチギヤにおいて、
前記引出形遮断器に代えて、前記格納室に引出自在に配置されると共に、前記格納室に収容されたときは前記シャッタを開き、前記格納室から引き出されたときは前記シャッタが閉じる、移動自在な台車構造の金属閉鎖型スイッチギヤ用試験治具であって、
前記格納室の底面に転動する複数の車輪を設ける台部と、
この台部の前面に立設するパネル板と、
前記パネル板の下段に固定された複数の第３試験端子と、
前記パネル板の上段に固定された複数の第４試験端子と、
前記パネル板と略平行に前記台部の中間部に立設する絶縁板と、
前記絶縁板の下段に取り付けられ、一端部が前記第３接続端子に接続し、他端部が前記第３試験端子に結線された複数の棒状の下部端子を連設する第３アダプタ板と、
前記絶縁板の上段に取り付けられ、一端部が前記第４接続端子に接続し、他端部が前記第４試験端子に結線された複数の棒状の上部端子を連設する第４アダプタ板と、を備え、
前記第３アダプタ板及び前記第４アダプタ板は、それらの前記絶縁板への上下方向の取り付け位置が変更可能に構成されている金属閉鎖型スイッチギヤ用試験治具。
【請求項４】
複数の前記下部端子は、それらの前記第３アダプタ板への水平方向の取り付け位置が変更可能に構成され、
複数の前記上部端子は、それらの前記第４アダプタ板への水平方向の取り付け位置が変更可能に構成されている請求項３記載の金属閉鎖型スイッチギヤ用試験治具。
【請求項５】
前記格納室を上下２段に配置している請求項３又は４記載の金属閉鎖型スイッチギヤ用試験治具。
【発明の詳細な説明】
【技術分野】
【０００１】
本発明は、金属閉鎖型スイッチギヤ用試験治具に関する。特に、金属閉鎖型スイッチギヤの内部に備わる変流器などを試験する試験治具の構造に関する。
【背景技術】
【０００２】
スイッチギヤ（開閉装置）は、電力の安定供給のために必要な電気系統の開閉、保護、監視、計測などの機能を備えた配電盤である。金属製のフレームで構成された金属閉鎖型スイッチギヤは、ビル、工場、プラント、交通システムなどの受配電設備として幅広い分野で使用されている。
【０００３】
金属閉鎖型スイッチギヤは、母線、接続導体、断路器（ｄｉｓｃｏｎｎｅｃｔ  ｓｗｉｔｃｈ：ＤＳ）、変流器（ｃｕｒｒｅｎｔ  ｔｒａｎｓｆｏｒｍｅｒ：ＣＴ）などをフレーム（スイッチギヤ本体）の内部に収納している。又、金属閉鎖型スイッチギヤは、接続端子（コネクタ）を介して断路器と変流器とを接続する引出形遮断器を備えている。この引出形遮断器は、スイッチギヤ本体に設けた格納室から引出自在な構成となっている。
【０００４】
引出形遮断器が格納室から引き出されると、断路器及び変流器に接続する接続端子が格納室に露出した状態となる。したがって、人体が接続端子に接触することを防止するために、格納室には、絶縁部材からなるシャッタが接続端子の前方に開閉自在に配置されている。
【０００５】
金属閉鎖型スイッチギヤは、引出形遮断器を格納室に収容すると、シャッタが接続端子の前方を開き、引出形遮断器を格納室から引き出すと、シャッタが接続端子の前方を閉じるように構成されている。
【０００６】
前述のように構成された金属閉鎖型スイッチギヤは、三相電流における相順（相回転）を調べるために、引出形遮断器を格納室から引き出した状態で、断路器に接続する接続端子に相回転計を接続して、検相試験が実施されていた。
【０００７】
ところで、前述したように引出形遮断器を格納室から引き出した状態では、断路器に接続する接続端子の前方を閉塞しているので、相回転計の接続が容易でなかった。したがって、このような不具合を解消するために、金属閉鎖型スイッチギヤに配置されたシャッタを安全に開閉でき、かつ、簡単な構造のシャッタ開閉補助工具が開示されている（例えば、特許文献１参照）。
【０００８】
特許文献１によるシャッタ開閉補助工具は、スイッチギヤ本体に設けた格納室と、格納室に対して引出自在に配置された引出形遮断器と、格納室の内部に露出する接続端子の前方を開閉するシャッタと、シャッタを開閉する開閉リンク機構と、を備えるスイッチギヤに用いられ、ハンドルバーの先端にシャッタ開閉機構を操作する押圧部を設け、「てこ」の原理を利用することで、シャッタを安全に開閉でき、かつ、簡単な構造とすることができる、としている。
【０００９】
又、前述と同様な、シャッタ及び引出形遮断器を備える金属閉鎖型スイッチギヤとしては、主変圧器などの主回路機器の故障停止時に応急的に短時間で移動用変圧器などの予備機器へ切換えて送配電できる小型（コンパクト）の金属閉鎖型スイッチギヤが開示されている（例えば、特許文献２参照）。
【先行技術文献】
【特許文献】
【００１０】
【特許文献１】特開２００６−４２５０３号公報
【特許文献２】特開２００８−２７１７３７号公報
【発明の概要】
【発明が解決しようとする課題】
【００１１】
上述した金属閉鎖型スイッチギヤは、変流器の変流比やその電流位相などを計測する変流器試験が定期的又は不定期に実施されている。そして、この変流器試験は、変流器に関係する主要回路に試験電流を流して実施されている。より具体的には、変流器試験は、以下の２通りの方法で実施されている。
【００１２】
第１の変流器試験の方法は、最初に、引出形遮断器を格納室に収容し、母線側の断路器が遮断器を介して変流器に接続した状態とする。次に、母線側の断路器の接点と、２次側の出力ケーブルの引き出し点に電流印加試験線を接続し、遮断器も含めて変流器に試験電流を流して、変流器試験が実施される。
【００１３】
第２の変流器試験の方法は、最初に、引出形遮断器を格納室から引き出して、シャッタが開いた状態を維持する。次に、変流器に接続する接続端子と、２次側の出力ケーブルの引き出し点に電流印加試験線を接続し、変流器に試験電流を流して、変流器試験が実施される。
【００１４】
第１の変流器試験の方法は、電流印加試験線を接続するときに、母線側の接続導体などに感電しないように、広い範囲での停電を確保する必要があるという問題がある。母線側を停電することなく、かつ安全に変流器試験が実施されることが好ましい。
【００１５】
第２の変流器試験の方法は、シャッタが開いた状態を人為的に維持して、変流器試験が実施されるので、作業性が悪いという問題がある。したがって、作業性に優れた変流器試験が望まれる。
【００１６】
特許文献１によるシャッタ開閉補助工具は、シャッタを開放した後に、棒状の高圧検相器を用い、格納室に入室することなく、スイッチギヤ本体の外側から高圧検相器を接続端子に差し込むことにより、検相試験が実施できる、としている。
【００１７】
しかし、特許文献１による金属閉鎖型スイッチギヤは、床面に近接する位置に格納室が配置されている。又、接続端子は、格納室の奥に配置されている。したがって、電流印加試験線の端末を接続端子に人為的に接続することは、依然困難であり、作業性がよくないという問題がある。又、特許文献２による金属閉鎖型スイッチギヤも同様の問題をかかえている。
【００１８】
格納室の奥に配置された接続端子に着脱自在な試験治具を用いて、これらの課題が解決されるが、上述した金属閉鎖型スイッチギヤは、多品種が製造されており、汎用性を有する金属閉鎖型スイッチギヤ用試験治具が望まれる。
【００１９】
本発明は、このような課題に鑑みてなされたものであり、母線側の停電を不用とし、安全、かつ作業性のよい変流器試験用の試験治具であって、汎用性を有する金属閉鎖型スイッチギヤ用試験治具を提供することを目的とする。
【課題を解決するための手段】
【００２０】
本発明者は、引出形遮断器の構造に類似した試験治具を創案し、この試験治具に接続端子と接続する試験端子をパネル板に固定し、上段の試験端子と下段の試験端子と結線し、接続端子と接続する上部端子及ぶ下部端子がそれらの取り付け位置を変更可能に構成することにより、これらの課題が解決可能なことを見出し、これに基づいて、以下のような新たな金属閉鎖型スイッチギヤ用試験治具を発明するに至った。
【００２１】
（１）本発明による金属閉鎖型スイッチギヤ用試験治具は、金属製のフレームで閉鎖された箱状の本体と、この本体の内部が区画されて引出形遮断器を引出自在に配置可能な格納室と、を備え、前記本体は、母線を接続する断路器が結線され、前記格納室に設けた隔壁の上段に連設された複数の第１接続端子と、出力ケーブルを接続する変流器が直結され、前記格納室に設けた隔壁の下段に連設された複数の第２接続端子と、前記第１接続端子及び前記第２接続端子の前方を開閉するシャッタと、を有する金属閉鎖型スイッチギヤにおいて、前記引出形遮断器に代えて、前記格納室に引出自在に配置されると共に、前記格納室に収容されたときは前記シャッタを開き、前記格納室から引き出されたときは前記シャッタが閉じる、移動自在な台車構造の金属閉鎖型スイッチギヤ用試験治具であって、前記格納室の底面に転動する複数の車輪を設ける台部と、この台部の前面に立設するパネル板と、前記パネル板の上段に固定された複数の第１試験端子と、前記パネル板の下段に固定された複数の第２試験端子と、前記パネル板と略平行に前記台部の中間部に立設する絶縁板と、前記絶縁板の上段に取り付けられ、一端部が前記第１接続端子に接続し、他端部が前記第１試験端子に結線された複数の棒状の上部端子を連設する第１アダプタ板と、前記絶縁板の下段に取り付けられ、一端部が前記第２接続端子に接続し、他端部が前記第２試験端子に結線された複数の棒状の下部端子を連設する第２アダプタ板と、を備え、前記第１アダプタ板及び前記第２アダプタ板は、それらの前記絶縁板への上下方向の取り付け位置が変更可能に構成されている。
【００２２】
（２）複数の前記上部端子は、それらの前記第１アダプタ板への水平方向の取り付け位置が変更可能に構成され、複数の前記下部端子は、それらの前記第２アダプタ板への水平方向の取り付け位置が変更可能に構成されていてもよい。
【００２３】
（３）本発明による金属閉鎖型スイッチギヤ用試験治具は、金属製のフレームで閉鎖された箱状の本体と、この本体の内部が区画されて引出形遮断器を引出自在に配置可能な格納室と、を備え、前記本体は、母線が結線されて前記格納室に設けた隔壁の下段に連設された複数の第３接続端子と、出力ケーブルを接続する変流器が直結され、前記格納室に設けた隔壁の上段に連設された複数の第４接続端子と、前記第３接続端子及び前記第４接続端子の前方を開閉するシャッタと、を有する金属閉鎖型スイッチギヤにおいて、前記引出形遮断器に代えて、前記格納室に引出自在に配置されると共に、前記格納室に収容されたときは前記シャッタを開き、前記格納室から引き出されたときは前記シャッタが閉じる、移動自在な台車構造の金属閉鎖型スイッチギヤ用試験治具であって、前記格納室の底面に転動する複数の車輪を設ける台部と、この台部の前面に立設するパネル板と、前記パネル板の下段に固定された複数の第３試験端子と、前記パネル板の上段に固定された複数の第４試験端子と、前記パネル板と略平行に前記台部の中間部に立設する絶縁板と、前記絶縁板の下段に取り付けられ、一端部が前記第３接続端子に接続し、他端部が前記第３試験端子に結線された複数の棒状の下部端子を連設する第３アダプタ板と、前記絶縁板の上段に取り付けられ、一端部が前記第４接続端子に接続し、他端部が前記第４試験端子に結線された複数の棒状の上部端子を連設する第４アダプタ板と、を備え、前記第３アダプタ板及び前記第４アダプタ板は、それらの前記絶縁板への上下方向の取り付け位置が変更可能に構成されている。
【００２４】
（４）複数の前記下部端子は、それらの前記第３アダプタ板への水平方向の取り付け位置が変更可能に構成され、複数の前記上部端子は、それらの前記第４アダプタ板への水平方向の取り付け位置が変更可能に構成されていてもよい。
【００２５】
（５）本発明による金属閉鎖型スイッチギヤ用試験治具は、格納室を上下２段に配置してもよい。
【発明の効果】
【００２６】
本発明による金属閉鎖型スイッチギヤ用試験治具は、引出形遮断器に代えて、試験治具が格納室に収容される。そして、変流器に接続する試験端子と、２次側の出力ケーブルの引き出し点に電流印加試験線を接続し、変流器に試験電流を流して、変流器試験が実施される。
【００２７】
本発明による金属閉鎖型スイッチギヤ用試験治具は、母線と出力ケーブルとが断路状態で、変流器を試験できるので、母線側を停電させる必要がなく、安全であり、一連の試験工程を短縮できるというメリットがある。
【００２８】
又、本発明による金属閉鎖型スイッチギヤ用試験治具は、格納室に入って人為的にシャッタを保持することなく、シャッタの開放状態を試験治具が機械的に保持できるので、作業性に優れるというメリットもある。
【００２９】
更に、本発明による金属閉鎖型スイッチギヤ用試験治具は、引出形遮断器を格納室から引き出して、遮断器を単独で点検できる。変流試験と並行して、遮断器を点検することもできる。
【００３０】
本発明による金属閉鎖型スイッチギヤ用試験治具は、上段と下段のアダプタ板がそれらの絶縁板への上下方向の取り付け位置が変更可能に構成されているので、多品種の金属閉鎖型スイッチギヤに対応でき、汎用性に富んでいる。
【図面の簡単な説明】
【００３１】
【図１】本発明の第１実施形態による試験治具及び金属閉鎖型スイッチギヤの構成を示す右側面図である。
【図２】第１実施形態による試験治具及び金属閉鎖型スイッチギヤの正面図である。
【図３】本発明の第２実施形態による試験治具及び金属閉鎖型スイッチギヤの構成を示す右側面図である。
【図４】第２実施形態による試験治具及び金属閉鎖型スイッチギヤの背面図である。
【図５】第２実施形態による金属閉鎖型スイッチギヤの正面図である。
【発明を実施するための形態】
【００３２】
以下、図面を参照して本発明を実施するための形態を説明する。
［第１実施形態］
（第１実施形態の構成）
最初に、本発明の第１実施形態による試験治具及び金属閉鎖型スイッチギヤの構成を説明する。図１は、本発明の第１実施形態による試験治具及び金属閉鎖型スイッチギヤの構成を示す右側面図である。図２は、第１実施形態による試験治具及び金属閉鎖型スイッチギヤの正面図である。
【００３３】
図１又は図２を参照すると、第１実施形態による金属閉鎖型スイッチギヤ（以下、スイッチギヤと略称する）１は、箱状の本体１０と格納室１１を備えている。本体１０は、金属製のフレームで閉鎖されている。格納室１１は、本体１０の内部が区画されて、図示しない引出形遮断器を引出自在に配置できる。図示されたスイッチギヤ１は、比較的高圧（例えば、２４ｋＶ）の大型配電盤を示している。
【００３４】
本体１０の内部は、仕切り板１１ａで上下に区画されている。本体１０は、仕切り板１１ａの上部に母線室１２を設けている。母線室１２は、一対の隔壁１２ａ・１２ｂ及び天板１２ｃで区画されている。又、母線室１２の隣には、予備母線室１３を設けている。更に、本体１０の上部には、前面扉１０ａと背面扉１０ｂを設けている。
【００３５】
母線室１２には、断路器３を配置している。断路器３の一方の接点３ａには、三相交流に対応した三つの母線３１１・３１２・３１３が接続されている。実体として、これらの母線３１１・３１２・３１３は、碍子に支持された帯板状の接続導体となっている。又、断路器３の他方の接点３ｂには、三本の母線３２１・３２２・３２３が接続されている。
【００３６】
断路器３には、リンク機構３３が連結している。図示しないアクチュエータでリンク機構３３を駆動すると、接点３ａと接点３ｂを接続しているレバー３４を開くことができる。そして、母線３１１・３１２・３１３と母線３２１・３２２・３２３とを一斉に断路状態にできる。リンク機構３３を逆方向に駆動すると、母線３１１・３１２・３１３と母線３２１・３２２・３２３を接続状態に復帰できる。
【００３７】
三本の母線３２１・３２２・３２３の他端側は、三つの第１接続端子４１１・４１２・４１３にそれぞれ結線されている。これらの第１接続端子４１１・４１２・４１３は、格納室１１に設けた隔壁１１ｂの上段に連設されている。
【００３８】
三つの第１接続端子４１１・４１２・４１３の後部は、仕切り板１１ａ、隔壁１１ｂ、及び隔壁１４ａで区画された断路室１４に配置されている。実体として、これらの第１接続端子４１１・４１２・４１３は、雌形のジャック（コネクタ）となっている。
【００３９】
一方、隔壁１１ｂの下段には、三つの第２接続端子４２１・４２２・４２３が連設されている。そして、通常は、引出形遮断器（図示せず）が第１格納室２ａに収容され、内部の遮断器が第１接続端子４１１・４１２・４１３と第２接続端子４２１・４２２・４２３を接続している。なお、これらの第２接続端子４２１・４２２・４２３も実体として、雌形のジャックとなっている。
【００４０】
又、三つの第２接続端子４２１・４２２・４２３の後部には、変流器５１・５２・５３がそれぞれ直結されている。隔壁１１ｂで区画されたケーブル室１５の底面（本体１０の底面）１５ａには、変圧器５０が配置されている。そして、変流器５１・５２・５３と変圧器５０が接続導体で接続されている。
【００４１】
ケーブル室１５の底面１５ａからは、碍子に支持された出力ケーブル５２１・５２２・５２３が延出している。そして、変流器５１・５２・５３と出力ケーブル５２１・５２２・５２３とを接続導体５１１・５１２・５１３がそれぞれ接続している。
【００４２】
接続導体５１１・５１２・５１３からは、引き出し線５３１・５３２・５３３がそれぞれ分岐している。そして、これらの引き出し線５３１・５３２・５３３の終端は、チェック端子５３ａになっている。本体１０の下部に設けた背面扉１０ｄを開くと、例えば、電流印加試験線をチェック端子５３ａに接続できる。
【００４３】
第１接続端子４１１・４１２・４１３の前方には、帯板状の絶縁性のシャッタ４３が配置されている。又、第２接続端子４２１・４２２・４２３の前方には、帯板状の絶縁性のシャッタ４４が配置されている。シャッタ４３とシャッタ４４は、連動して開閉（昇降）するように構成されている。
【００４４】
本発明の第１実施形態による試験治具６は、引出形遮断器（図示せず）に代えて、格納室１１に収容されている。試験治具６は、移動自在な台車構造となっている。試験治具６を格納室１１に収容したときには、図示しないリンク装置で一対のシャッタ４３・４４が開くように構成されている。又、本体１０は、試験治具６を格納室１１から引き出したときには、図示しないリンク装置で一対のシャッタ４３・４４が閉じるように構成されている。
【００４５】
試験治具６は、台部６１、絶縁性のパネル板６２、及び絶縁板６５を備えている。台部６１は、格納室１１の底面１１ｃに転動する複数の車輪６１ａを設けている。パネル板６２は、台部６１の前面に立設している。絶縁板６５は、パネル板６２と略平行に、台部６１の中間部に立設している。
【００４６】
パネル板６２の上段には、三つの第１試験端子６３ｂを固定している。これらの第１試験端子６３ｂは、略水平方向に連設されている。又、パネル板６２の下段には、三つの第２試験端子６４ｂを固定している。これらの第２試験端子６４ｂは、略水平方向に連設されている。
【００４７】
又、試験治具６は、第１アダプタ板６ａと第２アダプタ板６ｂを備えている。第１アダプタ板６ａは、絶縁板６５の上段に取り付けられている。又、第１アダプタ板６ａは、三つの棒状の上部端子６３を略水平方向に連設している。これらの上部端子６３の一端部６３ａは、第１接続端子４１１・４１２・４１３に接続できる。一方、これらの上部端子６３の他端部は、第１試験端子６３ｂに結線している。
【００４８】
第２アダプタ板６ｂは、絶縁板６５の下段に取り付けられている。又、第２アダプタ板６ｂは、三つの棒状の下部端子６４を略水平方向に連設している。これらの下部端子６４の一端部６４ａは、第２接続端子４２１・４２２・４２３に接続できる。一方、これらの下部端子６４の他端部は、第２試験端子６４ｂに結線している。
【００４９】
図２を参照すると、第１アダプタ板６ａの両翼は、ビス（雄ねじ）で絶縁板６５に締結されている。同様に、第２アダプタ板６ｂの両翼は、ビス（雄ねじ）で絶縁板６５に締結されている。
【００５０】
一方、絶縁板６５には、第１アダプタ板６ａを固定するための雌ねじを等間隔に配置している。又、絶縁板６５には、三つの上部端子６３に対応する箇所に複数の縦長の逃げ穴６５１を開口している。したがって、第１アダプタ板６ａは、絶縁板６５への上下方向の取り付け位置を変更できる。
【００５１】
同様に、絶縁板６５には、第２アダプタ板６ｂを固定するための雌ねじを等間隔に配置している。又、絶縁板６５には、三つの下部端子６４に対応する箇所に複数の縦長の逃げ穴６５２を開口している。したがって、第２アダプタ板６ｂは、絶縁板６５への上下方向の取り付け位置を変更できる。
【００５２】
なお、第１アダプタ板６ａには、三つの上部端子６３の他端部を逃げる横長のスリット開口６３１を開口している。三つの上部端子６３は、水平方向に移動して第１アダプタ板６ａに取り付けることができる。したがって、第１接続端子４１１・４１２・４１３の取り付け間隔（ピッチ）に対応して、上部端子６３の他端部の取り付け間隔を変更できる。
【００５３】
同様に、第２アダプタ板６ｂには、三つの下部端子６４の他端部を逃げる横長のスリット開口６４１を開口している。三つの下部端子６４は、水平方向に移動して第２アダプタ板６ｂに取り付けることができる。したがって、第２接続端子４２１・４２２・４２３の取り付け間隔（ピッチ）に対応して、下部端子６４の他端部の取り付け間隔を変更できる。
【００５４】
（第１実施形態の作用）
次に、本発明の第１実施形態による試験治具６の作用及び効果を説明する。なお、以下の説明では、三つの母線３１１・３１２・３１３から出力ケーブル５２１・５２２・５２３に至る経路（電気回路）は、略同じに構成されているので、母線３１１から出力ケーブル５２１に至る構成を代表して説明する場合がある。
【００５５】
図１又は図２を参照すると、スイッチギヤ１は、引出形遮断器（図示せず）に代えて、第１実施形態による試験治具６が格納室１１に収容されている。そして、変流器５１に接続する第２試験端子６４ｂと、２次側の出力ケーブル５２１の引き出し点となるチェック端子５３ａに電流印加試験線を接続し、変流器５１に試験電流を流して、変流器試験が実施される。
【００５６】
第１実施形態による試験治具６は、母線３１１及び母線３２１と出力ケーブル５２１とが断路状態で、変流器５１を試験できるので、母線側を停電させる必要がなく、安全であり、一連の試験工程を短縮できるというメリットがある。
【００５７】
又、第１実施形態による試験治具６は、格納室１１に入って人為的に一対のシャッタ４３・４４を保持することなく、一対のシャッタ４３・４４の開放状態を試験治具６が機械的に保持できるので、作業性に優れるというメリットもある。
【００５８】
更に、第１実施形態による試験治具６は、引出形遮断器を格納室１１から引き出して、遮断器を単独で点検できる。変流試験と並行して、遮断器を点検することもできる。
【００５９】
第１実施形態による試験治具６は、上段の第１アダプタ板６ａと下段の第２アダプタ板６ｂがそれらの絶縁板６５への上下方向の取り付け位置が変更可能に構成されているので、例えば、取り付けピッチ（間隔）Ｐを変更でき、多品種の金属閉鎖型スイッチギヤに対応でき、汎用性に富んでいる。
【００６０】
又、第１実施形態による試験治具６は、複数の上部端子６３の第１アダプタ板６ａへの水平方向の取り付け位置が変更可能に構成され、複数の下部端子６４の第２アダプタ板６ｂへの水平方向の取り付け位置が変更可能に構成されている。したがって、水平方向の取り付けピッチを変更でき、多品種の金属閉鎖型スイッチギヤに対応でき、汎用性に富んでいる。
【００６１】
第１実施形態による試験治具６は、上段の第１アダプタ板６ａを絶縁板６５に取り付けることなく、変流器試験を実施できる。この場合、シャッタ４３が開いているが、第１接続端子４１１は、パネル板６２から相当に離れており、パネル板６２及び絶縁板６５に遮られるので安全である。
【００６２】
更に、多品種の金属閉鎖型スイッチギヤに対応できるように、第１実施形態による試験治具６は、一対の車輪６１ａ・６１ａの間隔を調整可能な構造とすることが好ましい。
【００６３】
［第２実施形態］
（第２実施形態の構成）
次に、本発明の第２実施形態による試験治具及び金属閉鎖型スイッチギヤの構成を説明する。図３は、本発明の第２実施形態による試験治具及び金属閉鎖型スイッチギヤの構成を示す右側面図である。図４は、第２実施形態による試験治具及び金属閉鎖型スイッチギヤの背面図である。図５は、第２実施形態による金属閉鎖型スイッチギヤの正面図である。
【００６４】
図３から図５を参照すると、第２実施形態によるスイッチギヤ２は、箱状の本体２０と、第１格納室２ａ及び第２格納室２ｂと、を備えている。本体２０は、金属製のフレームで閉鎖されている。第１格納室２ａ及び第２格納室２ｂは、本体２０の内部が区画されて、図示しない引出形遮断器を引出自在に配置できる。図示されたスイッチギヤ２は、比較的低圧（例えば、２連６ｋＶ）の小型配電盤を示している。
【００６５】
本体２０の内部は、上部棚板２１ａと下部棚板２１ｂで区画されている。上部棚板２１ａには、隔壁２１ｃを立設している。又、下部棚板２１ｂには、隔壁２１ｄを立設している。そして、本体２０は、上部棚板２１ａの下方に母線室２２を設けている。母線室２２は、絶縁板で周囲が箱状に囲われている。又、本体２０には、前面扉２０ａと背面扉２０ｂを設けている。
【００６６】
母線室２２には、三相交流に対応した三つの母線３３１・３３２・３３３を配置している。実体として、これらの母線３３１・３３２・３３３は、碍子に支持された帯板状の接続導体となっている。又、これらの母線３３１・３３２・３３３は、第１格納室２ａへの経路と第２格納室２ｂへの経路とに分岐している。
【００６７】
一方の三本の母線３３１・３３２・３３３の終端は、三つの第３接続端子４３１・４３２・４３３にそれぞれ結線されている。これらの第３接続端子４３１・４３２・４３３は、第１格納室２ａに設けた隔壁２１ｃの下段に連設されている。実体として、これらの第３接続端子４３１・４３２・４３３は、雌形のジャック（コネクタ）となっている。
【００６８】
他方の三本の母線３３１・３３２・３３３の終端は、三つの第５接続端子４５１・４５２・４５３にそれぞれ結線されている。これらの第５接続端子４５１・４５２・４５３は、第２格納室２ｂに設けた隔壁２１ｄの上段に連設されている。実体として、これらの第５接続端子４５１・４５２・４５３は、雌形のジャック（コネクタ）となっている。
【００６９】
一方、隔壁２１ｃの上段には、三つの第４接続端子４４１・４４２・４４３が連設されている。そして、通常は、引出形遮断器（図示せず）が第１格納室２ａに収容され、内部の遮断器が第３接続端子４３１・４３２・４３３と第４接続端子４４１・４４２・４４３を接続している。なお、これらの第４接続端子４４１・４４２・４４３も実体として、雌形のジャックとなっている。
【００７０】
又、隔壁２１ｄの下段には、三つの第６接続端子４６１・４６２・４６３が連設されている。そして、通常は、引出形遮断器（図示せず）が第２格納室２ｂに収容され、内部の遮断器が第５接続端子４５１・４５２・４５３と第６接続端子４６１・４６２・４６３を接続している。なお、これらの第６接続端子４６１・４６２・４６３も実体として、雌形のジャックとなっている。
【００７１】
三つの第４接続端子４４１・４４２・４４３の後部には、変流器７１１・７１２・７１３がそれぞれ直結されている。又、三つの第６接続端子４６１・４６２・４６３の後部には、変流器７２１・７２２・７２３がそれぞれ直結されている。
【００７２】
碍子又はブラケットに絶縁支持された第１出力ケーブル７３１・７３２・７３３がケーブル室２５の底面２５ａから延出している。そして、変流器７１１・７１２・７１３と第１出力ケーブル７３１・７３２・７３３とを接続導体７５１・７５２・７５３がそれぞれ接続している。
【００７３】
同様に、碍子又はブラケットに絶縁支持された第２出力ケーブル７４１・７４２・７４３がケーブル室２５の底面２５ａから延出している。そして、変流器７２１・７２２・７２３と第２出力ケーブル７４１・７４２・７４３とを接続導体７６１・７６２・７６３がそれぞれ接続している。
【００７４】
接続導体７５１・７５２・７５３の経路途上には、チェック端子７５ａをそれぞれ設けている。又、そして、接続導体７６１・７６２・７６３の経路途上には、チェック端子７６ａをそれぞれ設けている。本体２０に設けた前面扉２０ａを開くと、例えば、電流印加試験線をチェック端子７５ａ又はチェック端子７６ａに接続できる。
【００７５】
第３接続端子４３１・４３２・４３３の前方には、帯板状の絶縁性のシャッタ４５が配置されている。又、第４接続端子４４１・４４２・４４３の前方には、帯板状の絶縁性のシャッタ４６が配置されている。シャッタ４５とシャッタ４６は、連動して開閉（昇降）するように構成されている。
【００７６】
同様に、第５接続端子４５１・４５２・４５３の前方には、帯板状の絶縁性のシャッタ４７が配置されている。又、第６接続端子４６１・４６２・４６３の前方には、帯板状の絶縁性のシャッタ４８が配置されている。シャッタ４７とシャッタ４８は、連動して開閉（昇降）するように構成されている。
【００７７】
本発明の第２実施形態による試験治具８は、引出形遮断器（図示せず）に代えて、第１格納室２ａ及び第２格納室２ｂに収容されている。試験治具８は、移動自在な台車構造となっている。本体２０は、試験治具８を第１格納室２ａに収容したときには、図示しないリンク装置で一対のシャッタ４５・４６が開くように構成されている。又、本体２０は、試験治具８を第１格納室２ａから引き出したときには、図示しないリンク装置で一対のシャッタ４５・４６が閉じるように構成されている。
【００７８】
同様に、本体２０は、試験治具８を第２格納室２ｂに収容したときには、図示しないリンク装置で一対のシャッタ４７・４８が開くように構成されている。又、本体２０は、試験治具８を第２格納室２ｂから引き出したときには、図示しないリンク装置で一対のシャッタ４７・４８が閉じるように構成されている。
【００７９】
試験治具８は、台部８１、絶縁性のパネル板８２、及び絶縁板８７を備えている。台部８１は、上部棚板２１ａ又は下部棚板２１ｂの上面に転動する複数の車輪８１ａを設けている。パネル板８２は、台部８１の前面に立設している。絶縁板８７は、パネル板８２と略平行に、台部８１の中間部に立設している。
【００８０】
上部のパネル板８２の下段には、三つの第３試験端子８３ｂを固定している。これらの第３試験端子８３ｂは、略水平方向に連設されている。又、上部のパネル板６２の上段には、三つの第４試験端子８４ｂを固定している。これらの第４試験端子８４ｂは、略水平方向に連設されている。
【００８１】
下部のパネル板８２の上段には、三つの第５試験端子８５ｂを固定している。これらの第５試験端子８５ｂは、略水平方向に連設されている。又、下部のパネル板８２の下段には、三つの第６試験端子８６ｂを固定している。これらの第６試験端子８６ｂは、略水平方向に連設されている。
【００８２】
又、上部の試験治具８は、第３アダプタ板８ａと第４アダプタ板８ｂを備えている。第３アダプタ板８ａは、上部の絶縁板８７の下段に取り付けられている。又、第３アダプタ板８ａは、三つの棒状の下部端子８３を略水平方向に連設している。これらの下部端子８３の一端部８３ａは、第３接続端子４３１・４３２・４３３に接続できる。一方、これらの下部端子８３の他端部は、第３試験端子８３ｂに結線している。
【００８３】
第４アダプタ板８ｂは、上部の絶縁板８７の上段に取り付けられている。又、第４アダプタ板８ｂは、三つの棒状の上部端子８４を略水平方向に連設している。これらの上部端子８４の一端部８４ａは、第４接続端子４４１・４４２・４４３に接続できる。一方、これらの上部端子８４の他端部は、第４試験端子８４ｂに結線している。
【００８４】
同様に、下部の試験治具８は、第５アダプタ板８ｃと第６アダプタ板８ｄを備えている。第５アダプタ板８ｃは、下部の絶縁板８７の上段に取り付けられている。又、第５アダプタ板８ｃは、三つの棒状の上部端子８５を略水平方向に連設している。これらの上部端子８５の一端部８５ａは、第５接続端子４５１・４５２・４５３に接続できる。一方、これらの上部端子８５の他端部は、第５試験端子８５ｂに結線している。
【００８５】
第６アダプタ板８ｄは、下部の絶縁板８７の下段に取り付けられている。又、第６アダプタ板８ｄは、三つの棒状の下部端子８６を略水平方向に連設している。これらの下部端子８６の一端部８６ａは、第６接続端子４６１・４６２・４６３に接続できる。一方、これらの下部端子８６の他端部は、第６試験端子８６ｂに結線している。
【００８６】
なお、第３アダプタ板８ａ、第４アダプタ板８ｂ、第５アダプタ板８ｃ、及び第６アダプタ板８ｄは、構造的には同じものであり、相互に交換が可能であるが、説明の便宜上、序列番号を変えて区別した。そして、第５アダプタ板８ｃ及び第６アダプタ板８ｄは、以下の説明では割愛する場合がある。
【００８７】
図４を参照すると、第３アダプタ板８ａの両翼は、ビス（雄ねじ）で絶縁板８７に締結されている。同様に、第４アダプタ板８ｂの両翼は、ビス（雄ねじ）で絶縁板８７に締結されている。
【００８８】
一方、絶縁板８７には、第３アダプタ板８ａを固定するための雌ねじを等間隔に配置している。又、絶縁板８７には、三つの下部端子８３に対応する箇所に複数の縦長の逃げ穴８７１を開口している。したがって、第３アダプタ板８ａは、絶縁板８７への上下方向の取り付け位置を変更できる。
【００８９】
同様に、絶縁板８７には、第４アダプタ板８ｂを固定するための雌ねじを等間隔に配置している。又、絶縁板８７には、三つの上部端子８４に対応する箇所に複数の縦長の逃げ穴８４２を開口している。したがって、第４アダプタ板８ｂは、絶縁板８７への上下方向の取り付け位置を変更できる。
【００９０】
なお、第３アダプタ板８ａには、三つの下部端子８３の他端部を逃げる横長のスリット開口８３１を開口している。三つの下部端子８３は、水平方向に移動して第３アダプタ板８ａに取り付けることができる。したがって、第３接続端子４３１・４３２・４３３の取り付け間隔（ピッチ）に対応して、下部端子８３の他端部の取り付け間隔を変更できる。
【００９１】
同様に、第４アダプタ板８ｂには、三つの上部端子８４の他端部を逃げる横長のスリット開口８４１を開口している。三つの上部端子８４は、水平方向に移動して第４アダプタ板８ｂに取り付けることができる。したがって、第４接続端子４４１・４４２・４４３の取り付け間隔（ピッチ）に対応して、上部端子８４の他端部の取り付け間隔を変更できる。
【００９２】
（第２実施形態の作用）
次に、本発明の第２実施形態による試験治具６の作用及び効果を説明する。なお、以下の説明では、三つの母線３３１・３３２・３３３から第１出力ケーブル７３１・７３２・７３３に至る経路（電気回路）は、略同じに構成されているので、母線３３１から第１出力ケーブル７３１に至る構成を代表して説明する場合がある。
【００９３】
又、以下の説明では、三つの母線３３１・３３２・３３３から第２出力ケーブル７４１・７４２・７４３に至る経路（電気回路）も、略同じに構成されているので、母線３３１から第１出力ケーブル７３１に至る構成を代表して説明する場合がある。
【００９４】
図３から図５を参照すると、スイッチギヤ２は、引出形遮断器（図示せず）に代えて、試験治具８が第１格納室２ａに収容されている。そして、変流器７１１に接続する第４試験端子８４ｂと、２次側の第１出力ケーブル７３１の引き出し点となるチェック端子７５ａに電流印加試験線を接続し、変流器７１１に試験電流を流して、変流器試験が実施される。
【００９５】
第２実施形態による試験治具８は、母線３３１と第１出力ケーブル７３１とが断路状態で、変流器７１１を試験できるので、母線側を停電させる必要がなく、安全であり、一連の試験工程を短縮できるというメリットがある。
【００９６】
又、第２実施形態による試験治具８は、格納室１１に入って人為的に一対のシャッタ４３・４４を保持することなく、一対のシャッタ４３・４４の開放状態を試験治具８が機械的に保持できるので、作業性に優れるというメリットもある。
【００９７】
更に、第２実施形態による試験治具８は、引出形遮断器を第１格納室２ａから引き出して、遮断器を単独で点検できる。変流試験と並行して、遮断器を点検することもできる。
【００９８】
第２実施形態による試験治具８は、下段の第３アダプタ板８ａと上段の第４アダプタ板８ｂがそれらの絶縁板８７への上下方向の取り付け位置が変更可能に構成されているので、例えば、取り付けピッチ（間隔）Ｐを変更でき、多品種の金属閉鎖型スイッチギヤに対応でき、汎用性に富んでいる。
【００９９】
又、第２実施形態による試験治具８は、複数の下部端子８３の第３アダプタ板８ａへの水平方向の取り付け位置が変更可能に構成され、複数の上部端子８４の第４アダプタ板８ｂへの水平方向の取り付け位置が変更可能に構成されている。したがって、水平方向の取り付けピッチを変更でき、多品種の金属閉鎖型スイッチギヤに対応でき、汎用性に富んでいる。
【０１００】
第２実施形態によるスイッチギヤ２は、下段の第３アダプタ板８ａを絶縁板８７に取り付けることなく、変流器試験を実施できる。この場合、シャッタ４５が開いているが、第３接続端子４３１は、パネル板８２から相当に離れており、パネル板８２及び絶縁板８７に遮られるので安全である。
【０１０１】
更に、多品種の金属閉鎖型スイッチギヤに対応できるように、一対の車輪８１ａ・８１ａの間隔を調整可能な構造とすることが好ましい。第２実施形態によるスイッチギヤ２は、２台の試験治具８を必ずしも必要としない。１台の試験治具８を用いて、上段と下段の変流器試験を交互に実施してもよい。
【符号の説明】
【０１０２】
１  スイッチギヤ（金属閉鎖型スイッチギヤ）
３  断路器
６  試験治具
６ａ  第１アダプタ板
６ｂ  第２アダプタ板
１０  本体
１１  格納室
１１ｂ  隔壁
１１ｃ  底面
４３・４４  シャッタ
５１・５２・５３  変流器
６１  台部
６１ａ  車輪
６２  パネル板
６３  上部端子
６３ｂ  第１試験端子
６４  下部端子
６４ｂ  第２試験端子
６５  絶縁板
３１１〜３１３  母線
４１１〜４１３  第１接続端子
４２１〜４２３  第２接続端子
【図１】
2011142746.tif 000003
【図２】
2011142746.tif 000004
【図３】
2011142746.tif 000005
【図４】
2011142746.tif 000006
【図５】
2011142746.tif 000007